(57)【要約】【課題】ユーザにとって使い勝手の良い再生装置を提供する。【解決手段】再生装置１は、ユーザの操作に基づいて、複数のファイル群の中から一又は複数のファイル群を再生の対象として特定し、再生の対象として特定した一又は複数のファイル群の中から一のファイルをランダムに決定し、決定した一のファイルを再生する制御部１１を備え、制御部１１は、ユーザによる所定の操作が行われると、再生の対象として特定したファイル群を他のファイル群に変更する。【選択図】図２
2018005963.tif 000002
【特許請求の範囲】
【請求項１】
ファイルを再生する再生装置であって、
ユーザの操作に基づいて、複数のファイル群の中から一又は複数のファイル群を再生の対象として特定し、再生の対象として特定した一又は複数のファイル群の中から一のファイルをランダムに決定し、決定した一のファイルを再生する制御部を備え、
前記制御部は、
ユーザによる所定の操作が行われると、再生の対象として特定したファイル群を他のファイル群に変更する
ことを特徴とする再生装置。
【請求項２】
記録媒体に複数のファイル群が所定の順序で記憶されており、
前記制御部は、
前記ユーザによる所定のボタン操作が行われると、再生の対象として特定したファイル群を、前記所定の順序に基づいて特定される他のファイル群に変更することを特徴とする請求項１に記載の再生装置。
【請求項３】
再生の対象として特定した回数を、ファイル群に応じて記憶する記憶部を備え、
前記制御部は、
ユーザによる所定のボタン操作が行われると、再生の対象として特定したファイル群を、前記記憶部が記憶する回数に基づいて特定される他のファイル群に変更することを特徴とする請求項１に記載の再生装置。
【請求項４】
前記制御部は、
ユーザによる他のファイル群の指定を受け付けることを特徴とする請求項１〜３の何れかに記載の再生装置。
【請求項５】
車両に固定される固定具を備えることを特徴とする請求項１〜４の何れかに記載の再生装置。
【請求項６】
前記制御部は、
タッチパネルに表示された複数のファイル群の中から、ユーザが前記タッチパネルを介して指定した一又は複数のファイル群を再生の対象として特定することを特徴とする請求項１〜５の何れかに記載の再生装置。
【請求項７】
前記制御部は、
ユーザにより特定のボタンが押されると、再生の対象として特定したファイル群の中から一のファイルをランダムに決定し、
前記所定の操作は、前記特定のボタンが連続的に押されることであることを特徴とする請求項１〜６の何れかに記載の再生装置。
【発明の詳細な説明】
【技術分野】
【０００１】
本発明は、再生装置に関する。
【背景技術】
【０００２】
本技術分野の背景技術として、特開２００５−２２２５７７号公報（特許文献１）がある。特許文献１には、「プレイリストの一覧からユーザによりプレイリスト＃１とプレイリスト＃３が選択された場合、選択されたプレイリスト＃１とプレイリスト＃３の重みとして「１」が設定され、その他のプレイリストであるプレイリスト＃２とプレイリスト＃４には「０」が設定される。「０」の重みが設定されたプレイリストに登録されている曲については再生が行われず、「１」の重みが設定されたプレイリスト＃１とプレイリスト＃３に登録されている曲の和集合を対象としてランダム再生が行われる。本発明は、音楽、静止画、動画などのコンテンツを処理し、出力可能なプレーヤに適用することができる。」と記載されている。
【先行技術文献】
【特許文献】
【０００３】
【特許文献１】特開２００５−２２２５７７号公報
【発明の概要】
【発明が解決しようとする課題】
【０００４】
特許文献１において、ユーザは、再生の対象となっているプレイリストを変えるためには、プレイリストの名前のリストをタッチパネルに表示させるための操作を行い、且つ、その中から所望のものを指定するための操作を行う必要がある。即ち、ユーザにとって、複数種類の操作を強いられるため、使い勝手が良いとは言えない。
そこで、本発明は、ユーザにとって使い勝手の良い再生装置を提供することを目的とする。
【課題を解決するための手段】
【０００５】
前述した課題を解決するために、例えば、ファイルを再生する再生装置であって、ユーザの操作に基づいて、複数のファイル群の中から一又は複数のファイル群を再生の対象として特定し、特定した一又は複数のファイル群の中から一のファイルをランダムに決定し、決定した一のファイルを再生する制御部を備え、前記制御部は、ユーザによる所定の操作が行われると、再生の対象として特定したファイル群を他のファイル群に変更することを特徴とする。
【発明の効果】
【０００６】
本発明によれば、使い勝手の良い再生装置を提供することができる。
【図面の簡単な説明】
【０００７】
【図１】実施例１の外観図である。
【図２】実施例１のブロック図である。
【図３】実施例１の案内画面である。
【図４】実施例１の楽曲ファイル記憶領域の模式図である。
【図５Ａ】実施例１のＡＶメニュー画面である。
【図５Ｂ】実施例１のミュージックキャッチャーメニュー画面である。
【図５Ｃ】実施例１のミュージックキャッチャー機能画面である。
【図５Ｄ】実施例１の１アルバムランダムメニュー画面である。
【図５Ｅ】実施例１のお気に入りメニュー画面である。
【図６】実施例１のランダム再生順序の模式図である。
【図７】実施例１の１アルバムランダム再生順序特定処理である。
【図８】実施例１の早送りボタン押し時処理である。
【図９】実施例１のランダム再生順序の変更の概念図である。
【図１０】実施例２の１アルバムランダム再生順序特定処理である。
【図１１】実施例２のランダム再生時アルバム再生順序の模式図である。
【図１２】実施例２の早送りボタン押し時処理である。
【図１３】実施例３の早送りボタン押し時処理である。
【図１４】実施例４の１アルバムランダム再生順序特定処理である。
【図１５】実施例４の早送りボタン押し時処理である。
【発明を実施するための形態】
【実施例１】
【０００８】
図１は、本発明の実施例１である再生装置１の外観図である。再生装置１は、ブラケット（固定具。図示せず）を介して車両のダッシュボードにネジ止めされる。
再生装置１は、ＡＶボタン２、現在地ボタン３、ディスク取出ボタン４、早送りボタン５、早戻しボタン６及び表示装置１７ａ（後述）を備える。
【０００９】
ＡＶボタン２は、音、静止画、動画その他のコンテンツの再生に関する動作のリストを表示すると共に、ユーザによる、その動作に関するユーザの指示を受け付けるＡＶメニュー画面５０（後述）の表示の指示を受け付けるためのボタンである。
尚、コンテンツとは、音、文字、図形、静止画若しくは動画又はこれらの組合せを含む電子的情報を指す。
【００１０】
現在地ボタン３は、ユーザによる、現在地周辺の地図の表示の指示を受け付けるボタンである。
【００１１】
ディスク取出ボタン４は、ユーザによる、ＣＤ、ＤＶＤその他の光ディスクの取り出しの指示を受け付けるためのボタンである。再生装置１は、光ディスクを読み取る光ディスク読取装置１６（後述）を備え、ユーザによって挿入された光ディスクに記録される情報の読取を行う。
【００１２】
早送りボタン５は、ユーザによる、再生中のファイルの再生を中止、及び、その次のファイルの再生の指示を受け付けるボタンである。
【００１３】
早戻しボタン６は、ユーザによる、再生中のファイルの再生を中止、及び、その前のファイルの再生の指示を受け付けるボタンである。
尚、ファイルとは、再生装置１が管理可能なコンテンツのかたまりを指す。
【００１４】
図２は、再生装置１のブロック図である。再生装置１は、制御部１１、スイッチ１２、ジャイロセンサ１３、車速センサ１４、ＧＰＳ受信機１５、光ディスク読取装置１６、タッチパネル１７、スピーカ１８、ＲＯＭ１９、ＲＡＭ２０及びＳＳＤ２１を備える。
【００１５】
制御部１１は、ＣＰＵを備え、ＣＰＵがプログラム１９ａを読み出して実行する等、ハードウェアとソフトウェアとの協働により、再生装置１の動作を制御する。制御部１１は、ＣＰＵにより、再生装置１を構成する各電子部品から所定の信号を受信したり、受信した信号に基づいて各種処理を行ったり、各種処理の結果、各電子部品に所定の信号を送信したりすることで、再生装置１の動作を制御する。
【００１６】
スイッチ１２は、ＡＶボタン２、現在地ボタン３その他の物理的なボタンがユーザにより押されたことを検出するスイッチである。尚、図２において、スイッチ１２が１個となっているが、これは説明の簡単化によるものであり、実際にはハードボタンの各々に対応してスイッチ１２が複数設けられており、各スイッチ１２はユーザにより押されたボタンの種類を示す信号を制御部１１に送信する。
【００１７】
ジャイロセンサ１３は、角速度を検出することで、再生装置１、言い換えると車両の相対的な方位を検出し、制御部１１に送信する。
【００１８】
車速センサ１４は、車輪の回転に同期する車速パルスを車両から受信することで、再生装置１、言い換えると、車両の移動速度を検出し、制御部１１に送信する。
【００１９】
ＧＰＳ受信機１５は、ＧＰＳアンテナ（図示せず）を介してＧＰＳ電波を受信し、ＧＰ
Ｓ電波に重畳されたＧＰＳ信号から、再生装置１、言い換えると車両の現在地を示す座標及び移動方向を検出し、制御部１１に送信する。
【００２０】
光ディスク読取装置１６は、挿入された光ディスクの読み取りを行う。
【００２１】
タッチパネル１７は、各種の情報を表示する液晶ディスプレイからなる表示装置１７ａと、表示装置１７ａに重畳して配置され、ユーザの指その他の物体が表示装置１７ａに触れたことを検出するタッチセンサ１７ｂと、を備える。タッチパネル１７は、物体と表示装置１７ａとの接触をユーザの操作と見なすことによって、ある動作の指示や一又は選択肢の指定などの、ユーザの操作を受け付ける。タッチパネル１７は、ユーザが表示装置１７ａに触れると、その接触を検出した表示装置１６ａ上の位置を示す信号を、制御部１１に送信する。
【００２２】
スピーカ１８は、電気的な信号を物理振動に変えることで、音を出力する。
【００２３】
ＲＯＭ１９は、不揮発性の記憶装置であり、制御部１１が実行するプログラム１９ａ（例えば、後述する１アルバムランダム再生順序特定処理及び早送りボタン押し時処理）や固定的なデータを記憶する。
【００２４】
ＲＡＭ２０は、揮発性の記憶装置であり、制御部１１がプログラム１９ａを実行する際、一時的にデータを記憶する。
【００２５】
ＳＳＤ２１は、不揮発性の補助記憶装置である。ＳＳＤ２１は、例えば、地図の表示、現在地から目的地までの経路の算出、及び経路の提示のために用いられる地図情報を記憶するための地図情報記憶領域２１ａと、楽曲に関するファイルである楽曲ファイルを複数記憶する楽曲ファイル記憶領域２１ｂと、ランダム再生順序（後述）を記憶するランダム再生順序記憶領域２１ｃと、を備える。
【００２６】
再生装置１は、現在地を特定する手段と、地図情報に基づいて現在地から目的地までの経路を算出する経路算出手段と、経路算出手段により算出された経路に基づいてユーザを目的地へ案内する経路案内手段と、を備える。例えば、制御部１１は、ジャイロセンサ１３から受信した方位、車速センサ１４から受信した移動速度、ＧＰＳ受信機１５から受信した現在地及び移動方向と、ＳＳＤ２１により記憶される地図情報に基づいて、現在地を特定する。そして、ユーザが指定する目的地を、タッチパネル１７を介して受け付けると、特定された現在地からユーザにより指定された目的地までの経路を地図情報に基づいて算出し、算出した経路に基づく画面（以降「案内画面３０」）を生成し、タッチパネル１７に送信する。タッチパネル１７は、制御部１１から受信した案内画面３０を表示装置１７ａ上で表示させる。
【００２７】
図３は、タッチパネル１７の表示装置１７ａで表示される案内画面３０を示す。案内画面３０は、再生装置１の現在地周辺の地図上に、現在地を示す現在地マーク３１と、現在地から目的地までの経路を示す線３２と、を表示する。
【００２８】
図４は、楽曲ファイル記憶領域２１ｂの模式図である。
再生装置１に光ディスクの一種である音楽ＣＤが挿入され、この音楽ＣＤに記録されている一の楽曲に関する電子的情報が光ディスク読取装置１６によって読み取られると、制御部１１は、その電子的情報を、ＡＡＣに準拠した圧縮を行った上で一のファイルにしてＳＳＤ２１の楽曲ファイル記憶領域２１ｂに記憶する。
【００２９】
楽曲に関する電子的情報としては、楽曲の音そのものを示すデータである実体データの他に、その楽曲が収められたアルバムの名称、ファイル名、楽曲のタイトル及び実演家の名称といった楽曲に付随する付随情報が含まれる。楽曲ファイルには実体データのみならず、付随情報も含まれる。
【００３０】
ＳＳＤ２１の楽曲ファイル記憶領域２１ｂは、光ディスク読取装置１６により読み取られた順序で各楽曲ファイルを記憶する。即ち、ＳＳＤ２１の楽曲ファイル記憶領域２１ｂには、各楽曲ファイルの情報は、それが記憶された順序で並ぶ。また、各楽曲ファイルはそれが属するアルバムの単位で纏められ、一のアルバムに属する全ての楽曲ファイルは一のフォルダに記憶される。このため、あるアルバムを再生の対象とするということは、そのアルバムが記憶されているフォルダを再生の対象とすることと同じである。尚、ＳＳＤ２１の楽曲ファイル記憶領域２１ｂには、各アルバムの情報もそれが記憶された順序で並ぶ。
【００３１】
制御部１１は、楽曲ファイル記憶領域２１ｂに記憶された楽曲ファイルを読み出し、ＡＡＣに準拠した伸張を行い、伸張が行われた楽曲ファイル基づいて、デジタル形式の音信号を生成する。生成された音信号は、デジタル信号をアナログ信号に変換するＤ／Ａ変換器（図示せず）に出力されてアナログ形式に変換され、アナログ信号を増幅するアンプ（図示せず）によって増幅される。スピーカ１８は、アンプによって増幅された音信号に基づく音を生み出す（対象のファイルに、伸張その他の必要な処理を実施し、その結果をスピーカ１８その他人の視覚又は聴覚に関する情報を出力する外部装置に出力することを「再生」という）。この結果、ユーザは楽曲を聴くことができる。
【００３２】
楽曲ファイル記憶領域２１ｂは、アルバムごとにアルバム指定回数（後述）を記憶する領域を有する。また、楽曲ファイル記憶領域２１ｂは、一の楽曲ファイルに関連付けられたお気に入りフラグ（後述）を、楽曲ファイルごとに記憶可能な領域を有する。
【００３３】
図５Ａは、タッチパネル１７の表示装置１７ａで表示されるＡＶメニュー画面５０を示す図である。
ＡＶメニュー画面５０は、ＡＭ／ＦＭキー５０ａ、ＤＶＤ／ＣＤキー５０ｂ、ミュージックキャッチャーキー５０ｃその他のキーを含む。各キーはソフトウェア的に実現されており、タッチパネル１７は、ユーザによって触れられたキーを特定する情報を制御部１１に送信する。
【００３４】
図５Ｂは、ミュージックキャッチャーメニュー画面５１を示す図である。
ミュージックキャッチャーメニュー画面５１は、ＡＶメニュー画面５０のミュージックキャッチャーキー５０ｃがユーザによって触れられると表示される画面である。ミュージックキャッチャーメニュー画面５１は、ＳＳＤ２１に記憶されている楽曲ファイルのリストと、機能キー５１ａと、お気に入りメニューキー５１ｂと、を含む。
【００３５】
図５Ｃは、ミュージックキャッチャー機能画面５２を示す図である。
ミュージックキャッチャー機能画面５２は、ミュージックキャッチャーメニュー画面５１の機能キー５１ａがユーザによって触れられると表示される画面である。ミュージックキャッチャー機能画面５２は、全リピートキー５２ａ、１アルバムリピートキー５２ｂ、１ファイルリピートキー５２ｃ、全ファイルランダムキー５２ｄ及び１アルバムランダムキー５２ｅを含む。
【００３６】
再生装置１は、楽曲ファイルの再生の方法（以降「再生モード」）として、全リピート、１アルバムリピート、１ファイルリピート、全ファイルランダム及び１アルバムランダムの５つがある。
【００３７】
全リピートは、全リピートキー５２ａがユーザによって触れられるとなる再生モードである。ＳＳＤ２１の楽曲ファイル記憶領域２１ｂに記憶されている楽曲ファイル全てが、楽曲ファイル記憶領域２１ｂに記憶された順序で再生の対象となる。再生の対象となる楽曲ファイルのうち、楽曲ファイル記憶領域２１ｂの最後に記憶されたものの再生が終了した後は、それまでと同じ順序で各楽曲ファイルが再生の対象となる。
【００３８】
１アルバムリピートは、１アルバムリピートキー５２ｂがユーザによって触れられるとなる再生モードである。ＳＳＤ２１の楽曲ファイル記憶領域２１ｂに記憶されている楽曲ファイル全てのうち一のアルバムに属するものが、楽曲ファイル記憶領域２１ｂに記憶された順序で再生の対象となる。再生の対象となる楽曲ファイル全ての再生が終了した後は、それまでと同じ順序で各楽曲ファイルが再生の対象となる。尚、再生の対象とされるアルバムは、ユーザによって指定される。
【００３９】
１ファイルリピートは、１ファイルリピートキー５２ｃがユーザによって触れられるとなる再生モードである。ＳＳＤ２１の楽曲ファイル記憶領域２１ｂに記憶されている楽曲ファイル全てのうち一の楽曲ファイルが再生の対象とされる。再生の対象となる楽曲ファイルの再生が終了した後は、同じ楽曲ファイルが再生の対象となる。尚、再生の対象とされる楽曲ファイルは、ユーザによって指定される。
【００４０】
全ファイルランダムは、全ファイルランダムキー５２ｄがユーザによって触れられるとなる再生モードである。ＳＳＤ２１の楽曲ファイル記憶領域２１ｂに記憶されている楽曲ファイル全てが、乱数で決定された順序で再生の対象となる。再生の対象となる楽曲ファイル全ての再生が終了した後は、それまでと同じ順序で各楽曲ファイルが再生の対象となる。
【００４１】
１アルバムランダムは、１アルバムランダムキー５２ｅがユーザによって触れられるとなる再生モードである。ＳＳＤ２１の楽曲ファイル記憶領域２１ｂに記憶されている楽曲ファイル全てのうち一のアルバムに属するものが、乱数で決定された順序で再生の対象となる。再生の対象となる楽曲ファイル全ての再生が終了した後は、それまでと同じ順序で各楽曲ファイルが再生の対象となる。尚、再生の対象とされるアルバムは、ユーザによって指定される。
【００４２】
図５Ｄは、１アルバムランダムメニュー画面５３を示す図である。
１アルバムランダムメニュー画面５３は、ミュージックキャッチャー機能画面５２の１アルバムランダムキー５２ｅがユーザによって触れられると表示される画面である。１アルバムランダムメニュー画面５３は、ＳＳＤ２１に記憶されている複数のアルバムの名称のリストを含む。また、１アルバムランダムメニュー画面５３は、リストとして表示されている各アルバムに対応付けられたキーが表示されており、ユーザによって触れられたキーに対応するアルバムに属する楽曲ファイル群が再生の対象とされる。
【００４３】
図５Ｅは、お気に入りメニュー画面５４を示す図である。
お気に入りメニュー画面５４は、ミュージックキャッチャーメニュー画面５１のお気に入りメニューキー５１ｂがユーザによって触れられると表示される画面である。お気に入りメニュー画面５４は、ＳＳＤ２１に記憶されている複数のアルバムの名称のリストを含む。リストとして表示されているアルバムごとにお気に入りキー５４ａ〜５４ｄが表示されており、お気に入りキー５４ａ〜５４ｄの何れかがユーザによって触れられると、ユーザによって触れられたキーに対応するアルバムのお気に入りフラグがオンとなり、図５Ｅのお気に入りメニュー画面５４上では、アルバム「ＢＢＢ」のお気に入りフラグがオンとなる。お気に入りフラグは、相対的に優先して再生の対象とするか否かを特定するための情報であり、ユーザは、お気に入りフラグをオンとする操作を行うことで、例えば、好きなアルバムが優先的に再生されるようにすることができる（詳細は後述）。
【００４４】
図６は、ランダム再生順序の模式図である。
ランダム再生順序とは、再生の対象となる各楽曲ファイルが、再生の対象とされる順序を示す情報であって、その順序が乱数を用いて決定される。楽曲ファイルごとに、再生の対象とされる順序である再生番号が対応付けられ、例えば、再生番号「１」が対応付けられた楽曲ファイルは１番目に再生の対象となり、再生番号「２」が対応付けられた楽曲ファイルは２番目に再生の対象となる。ランダム再生順序に従ってある楽曲ファイルが再生の対象として決定される確率は、他の一の楽曲ファイルが再生の対象として決定されるそれと同じである。再生モードが全ファイルランダムのとき、及び、再生モードが一アルバムランダムのとき、ランダム再生順序に基づいて各楽曲ファイルが再生される（以降、ランダム再生順序に基づく楽曲ファイルの再生を「ランダム再生」と言う場合がある）。
【００４５】
図７のフローチャートＦＡは、制御部１１により実行される１アルバムランダム再生順序特定処理を示すフローチャートである。１アルバムランダム再生順序特定処理は、１アルバムランダムメニュー画面５３で表示されている複数のアルバムのうち、何れかに対応するキーがユーザによって触れられたことを契機に制御部１１により実行されるものであり、再生の対象としてユーザにより指定されたアルバムに属する各楽曲ファイルが再生される順序を乱数で決定する。
【００４６】
先ず、制御部１１は、対応するキーが触れられることでユーザによって指定されたアルバムを再生の対象のアルバムとして特定する（ステップＳＡ１）。言い換えると、制御部１１は、ユーザによって指定されたアルバムに属する楽曲ファイル群を再生の対象として特定する。制御部１１は、特定されたアルバムに対応するアルバム指定回数を１加算する（ステップＳＡ２）。アルバム指定回数は、あるアルバムが再生の対象として指定された回数を示すものであり、アルバムごとに積算される。
【００４７】
次に、制御部１１は、特定されたアルバムに属する楽曲ファイルの数を範囲とする乱数を生成し（ステップＳＡ３）、生成した乱数に基づいてランダム再生順序を決定し（ステップＳＡ４）、ランダム再生順序記憶領域２１ｃに記憶する。
そして、制御部１１は、再生番号１の楽曲ファイルを再生の対象として決定する（ステップＳＡ５）。尚、この時点で再生モードが１アルバムランダムとなる。
【００４８】
一の楽曲ファイルが再生の対象として決定されると、制御部１１は、その楽曲ファイルを再生する。即ち、制御部１１は、ＳＳＤ２１の楽曲ファイル記憶領域２１ｂから読み出したその楽曲ファイルの実体データの伸張を行い、その結果である音信号を、Ｄ／Ａ変換機及びアンプを介して、スピーカ１８に出力する。
【００４９】
図８のフローチャートＦＢは、制御部１１により実行される早送りボタン押し時処理を示すフローチャートである。早送りボタン押し時処理は、早送りボタン５がユーザによって押されたことを契機に制御部１１により実行されるものであり、次に再生される楽曲ファイルを特定するための処理である。
【００５０】
制御部１１は、再生モードが全ファイルランダム又は１アルバムランダムのいずれかの再生モードか否かを判別する（ステップＳＢ１）。再生モードが全ファイルランダムでなく、かつ、１アルバムランダムでない場合（ステップＳＢ１：ＮＯ）、制御部１１は、楽曲ファイル記憶領域２１ｂにおいて、再生中の楽曲ファイルの次に記憶されている楽曲ファイルを再生の対象とする（ステップＳＢ２）。尚、再生の対象の各楽曲ファイルのうち、楽曲ファイル記憶領域２１ｂの最後に記憶されたものの再生が行われている場合であれば、制御部１１は、再生の対象の各楽曲ファイルのうち、楽曲ファイル記憶領域２１ｂの最初に記憶されたものが再生の対象とされる。
【００５１】
一方、再生モードが全ファイルランダム又は１アルバムランダムである場合（ステップＳＢ１：ＹＥＳ）、制御部１１は、再生モードが１アルバムランダムであり、且つ早送りボタン５が連続的に押されたか否かを判別する（ステップＳＢ３）。尚、制御部１１は、早送りボタン５が前に押されてから１秒以内に早送りボタン５が押された場合、早送りボタン５が連続的に押されたと判別する。
【００５２】
再生モードが１アルバムランダムではない場合、又は早送りボタン５が連続的に押されたものではない場合（ステップＳＢ３：ＮＯ）、制御部１１は、ランダム再生順序記憶領域２１ｃに記憶されているランダム再生順序に基づいて、再生中の楽曲ファイルの再生番号の次の再生番号が対応付けられた楽曲ファイル、即ち、再生中の楽曲ファイルの次に再生されるべき楽曲ファイルを再生の対象として決定する（ステップＳＢ４）。
【００５３】
尚、ここでは、既に決定されているランダム再生順序に基づいて一の楽曲ファイルが抽出されるだけであり、このタイミングで乱数に基づいて一の楽曲ファイルが決定される訳ではないが、ランダム再生順序は乱数に基づいて決定されているので、一の楽曲ファイルはランダムに決定されていると言える。このことは、一の楽曲ファイルの再生が終了したときについても当てはまる
【００５４】
再生モードが１アルバムランダムであり、且つ早送りボタン５が連続的に押された場合（ステップＳＢ３：ＹＥＳ）、制御部１１は、楽曲ファイル記憶領域２１ｂにおいて、再生中のアルバムの次に記憶されているアルバムを再生の対象として特定する（ステップＳＢ５）。即ち、制御部１１は、再生の対象のアルバムを変更する。
言い換えると、制御部１１は、早送りボタン５が連続的に押された場合は、再生の対象とするアルバム及び楽曲ファイルを変更する一方、早送りボタン５が非連続的に押された場合は、再生の対象のアルバムは変更せずに、楽曲ファイルを変更する。
【００５５】
制御部１１は、再生の対象として特定されたアルバムに属する楽曲ファイル全ての数を範囲とする乱数を生成し（ステップＳＢ６）、生成した乱数に基づいてランダム再生順序を決定し（ステップＳＢ７）、ランダム再生順序記憶領域２１ｃに記憶する。尚、ランダム再生順序記憶領域２１ｃに事前に記憶されていたランダム再生順序は削除される。
そして、制御部１１は、再生番号１の楽曲ファイルを再生の対象として決定する（ステップＳＢ８）。
【００５６】
尚、再生の対象のアルバムは変わったとしても、再生モードは変わらない。即ち、新たに再生の対象となった一のアルバムに属する楽曲ファイルを対象としたランダム再生が行われることとなる。
【００５７】
図９は、ランダム再生順序の変更の概念を示す概念図である。
事前に決定されたランダム再生順序に基づいて、アルバム「ＡＡＡ」に属する楽曲ファイルであって、再生番号１の「Ｆ０００４」の再生が始まる。「Ｆ０００４」の再生が終了すると、再生番号２の「Ｆ０００３」の再生が始まり、その再生が終了すると、再生番号３の「Ｆ００００」が再生される。ここでは、既に決定されているランダム再生順序に基づいて一の楽曲ファイルが抽出されるのであって、乱数に基づいて一の楽曲ファイルが決定される訳ではないが、ランダム再生順序は乱数に基づいて決定されているので、一の楽曲ファイルがランダムに決定されていると言える。
【００５８】
そして、「Ｆ００００」の再生中に早送りボタン５が連続的に押されると、再生の対象のアルバムが「ＡＡＡ」から「ＢＢＢ」に変わり、アルバム「ＢＢＢ」に属する各楽曲ファイルのランダム再生順序が決定される。そして、「Ｆ００００」の再生の完了を待たずに、「Ｆ０１０１」の再生が始まり、その後、「Ｆ０１０３」、「Ｆ０１００」の順序で各楽曲ファイルが再生される。
【００５９】
尚、再生モードが１アルバムランダムであるときに早戻しボタン６が押された場合には、制御部１１は、その時点でランダム再生順序記憶領域２１ｃに記憶されたランダム再生順序に基づいて、再生中の楽曲ファイルの再生番号から１減算した再生番号が対応付けられた楽曲ファイルを再生の対象とする。
【００６０】
実施例１によれば、ユーザは、早送りボタン５を押す操作の繰り返しという簡単な行為を行うだけで、再生の対象のアルバムを変えることができる。
【００６１】
ユーザは、その位置を手探りで探し当てることが可能な物理的ボタンである早送りボタン５を連続的に押すことで、再生の対象とするアルバムを変えることができる。例えば、ユーザは、表示装置１７ａ上で表示されたソフトウェア的なキーに触れることで再生の対象とするアルバムを変えようとすると、そのキーの位置を把握するために表示装置１７ａに視線を向ける必要がある。また、一の画面とその下位層にある他の画面とにおいてソフトウェア的なキーが表示される位置が異なる場合、ユーザは、ソフトウェア的なキーに触れようとするたびに、その位置を把握するために表示装置１７ａに視線を向ける必要がある。これに対し、実施例１によれば、ユーザは、再生装置１に視線を向けることなく再生の対象とするアルバムを変えることができるので、仮に運転中であっても、再生の対象とするアルバムを容易に変えることができる。
【００６２】
また、早送りボタン５の位置は変わらないので、例えば、指を早送りボタン５に当てたままとすることもできるので、早送りボタン５を連続的に押すこと自体がユーザにとって容易である。
【００６３】
ランダム再生中において、ユーザが早送りボタン５を押すということは、聴きたい楽曲がユーザの頭に浮かんだ場合が想定される。そして、このユーザが聴きたい楽曲が再生中のアルバムに収められていない場合、ユーザは、再生の対象のアルバムを変える必要がある。実施例１によれば、ユーザは、早送りボタン５を連続的に押す行為を続けることで、所望のアルバムを再生の対象とすることもできる。
【００６４】
また、専用のボタンが必要とされないので、コストの増加が極力防止される。
【００６５】
尚、実施例１では、再生の対象とする楽曲ファイル群として、一のアルバムに属する楽曲ファイル群が適用されたが、いわゆるプレイリストによって規定される楽曲ファイル群が適用されるようにしても良い。この場合、ユーザは、再生の対象とするプレイリストを簡単な行為で変更することができる。
【００６６】
また、一のアルバムに属する楽曲ファイル群及び他のアルバムに属する楽曲ファイル群が再生の対象とされても良い。
【００６７】
また、実施例１のランダム再生順序は、一の楽曲ファイルが再生対象として決定される確率が、他の一の楽曲ファイルのそれと同じとなるように決定されるが、例えば、制御部１１は、ユーザにより再生の対象として指定された回数や、現実に再生された回数に基づく重みを考慮してランダム再生順序を決定さすることで、一の楽曲ファイルが再生の対象として決定される確率が、他の一の楽曲ファイルのそれと異なるようにしても良い。
【００６８】
また、早送りボタン５が押されてから１秒以内に早送りボタン５が押されたことを、早送りボタン５が連続的に押されたものとしたが、この秒数は適宜変更可能である。また、早送りボタン５が押されてから所定期間（例えば、１秒間）内に早送りボタン５が押され、更に、前記所定期間内に早送りボタン５が押されたこと、再生の対象とするファイル群の変更の契機としても良い。また、再生の対象とするファイル群の変更の契機として、早送りボタン５が連続的に押されたことが適用されたが、例えば、早送りボタンが所定期間（例えば、３秒間）押され続けたことが適用されても良い。
【００６９】
また、再生装置１は、楽曲ファイルを記憶する記録媒体としてＳＳＤ２１を備えるが、これの代わりに又はこれに加えて、ＨＤＤその他の記録媒体を備えても良い。
【００７０】
また、制御部１１は、音楽ＣＤに記録されている各楽曲の電子的情報をそれぞれＡＡＣに基づく圧縮を行った上でファイル化したが、ＡＡＣの代わりに、ＭＰ３、ＷＭＡその他の圧縮方法に基づく圧縮を行うようにしても良い。同様に、種々の伸張方法が適用可能である。また、制御部１１は、一の楽曲の電子的情報を、圧縮を行わずにファイル化しても良い。この場合、再生の対象となっているファイルの伸張は行われない。
【００７１】
また、制御部１１は、光ディスクに記録されている楽曲に関する電子的情報に基づく楽曲ファイルをＳＳＤ２１に記憶するが、ＵＳＢメモリ、ＳＤカードその他の補助記憶装置に記録されている電子的情報を読み取ってＳＳＤ２１に記憶し、再生の対象とするようにしても良い。また、制御部１１は、補助記憶装置に記憶されている電子的情報をＳＳＤ２１に記憶することなく、補助記憶装置に記憶されている電子的情報を読み取りながら再生するようにしても良い。
【００７２】
また、再生装置１は、楽曲ファイルを記憶する記録媒体を備えるスマートフォン、タブレット型コンピュータその他の情報端末と通信するため、ＵＳＢ、ＢＬＵＥＴＯＯＴＨ（登録商標）その他の規格に即した通信手段を有し、制御部１１は、この通信手段を介して情報端末に記憶されている各楽曲ファイルを受信しながら、再生するようにしても良い。
【００７３】
また、再生の対象のファイルとして楽曲ファイルが適用されたが、楽曲ファイルの代わりに、静止画に関するファイルである静止画ファイルや、動画に関するファイルである動画ファイルが再生の対象として適用されるようにしても良い。
【００７４】
また、再生装置１は、車両にネジで固定されるブラケットを備えるが、これの代わりに、車両に固定される固定具として、吸盤式のブラケットを備えるようにしても良い。
【００７５】
尚、再生装置１は、ユーザが携帯可能なものであっても据え置き型であっても良い。また、スマートフォンなどの情報端末であっても良い。この場合、情報端末において、例えば、１アルバムランダム再生順序特定処理を構成するプログラム及び早送りボタン押し時処理を構成するプログラムがパッケージ化されたいわゆるアプリケーションプログラムが実行される。早送りボタン５としてはソフトウェア的なキーの適用も可能であり、制御部１１は、早送りボタン５としてのソフトウェア的なキーが連続的に押されたか否かを判別し、このソフトウェア的なキーが連続的に押された場合、再生の対象とするファイルを変更する。
【実施例２】
【００７６】
実施例２の構成及び効果等は、特に断りのない限り、実施例１と同じである。このため、実施例１実施例２との相違点が主に説明され、説明の重複の回避のため、共通点の説明は極力省略される。
【００７７】
図１０のフローチャートＦＣは、実施例２の１アルバムランダム再生順序特定処理を示すフローチャートである。実施例２の１アルバムランダム再生順序特定処理は、実施例１と同様に、１アルバムランダムメニュー画面５３で表示されている複数のアルバムのうち、何れかがユーザによって指定されたことを契機に制御部１１により実行される。
【００７８】
先ず、制御部１１は、ユーザによって指定されたアルバムを再生の対象のものとして特定し（ステップＳＣ１）、特定されたアルバムに対応するアルバム指定回数を１加算する（ステップＳＣ２）。
【００７９】
そして、制御部１１は、特定されたアルバムに属する楽曲ファイルの数を範囲とする乱数を生成し（ステップＳＣ３）、生成した乱数に基づいてランダム再生順序を決定し（ステップＳＣ４）、ランダム再生順序記憶領域２１ｃに記憶する。
次いで、制御部１１は、再生番号１の楽曲ファイルを再生の対象として決定する（ステップＳＣ５）。
【００８０】
制御部１１は、アルバム指定回数に基づいて、ランダム再生時アルバム再生順序を特定すると共に、アルバム管理番号の初期値「０」とする（ステップＳＣ６）。
【００８１】
図１１は、ランダム再生時アルバム再生順序の模式図である。
ランダム再生時アルバム再生順序とは、再生モードが１アルバムランダムであるときにおいて、ＳＳＤ２１の楽曲ファイル記憶領域２１ｂに記憶される各アルバムが再生の対象となる順序を示す情報である。アルバムごとに、再生の対象とされる順序であるアルバム再生番号が対応付けられ、その時点のアルバム管理番号と同じ数値のアルバム再生番号に対応付けられたアルバムが再生の対象となる。例えば、アルバム管理番号が「１」の場合、再生番号「１」が対応付けられたアルバムが再生の対象となり、アルバム管理番号が「２」の場合、再生番号「２」が対応付けられたアルバムが再生の対象となる。
【００８２】
ランダム再生時アルバム再生順序は、アルバムごとのアルバム指定回数が多いほど再生番号が小さくなるように、決定される。即ち、ユーザが再生の対象として指定した回数が相対的に多いアルバムが、その回数が相対的に少ないアルバムよりも先に再生の対象として特定されるようになっている。仮に、一のアルバムに対応付けられたアルバム指定回数と、他のアルバムに対応付けられたアルバム指定回数と、が同じ場合、楽曲ファイル記憶領域２１ｂに記憶されている順序に基づいてランダム再生時アルバム再生順序が特定される。
尚、ランダム再生時アルバム再生順序はＳＳＤ２１に記憶される。
【００８３】
図１２のフローチャートＦＤは、実施例２の早送りボタン押し時処理を示すフローチャートである。実施例２の早送りボタン押し時処理は、実施例１と同様に、早送りボタン５がユーザによって押されたことを契機に制御部１１により実行される。
【００８４】
先ず、制御部１１は、再生モードが全ファイルランダム又は１アルバムランダムのいずれかの再生モードか否かを判別する（ステップＳＤ１）。再生モードが全ファイルランダムでなく、かつ、１アルバムランダムでない場合（ステップＳＤ１：ＮＯ）、制御部１１は、楽曲ファイル記憶領域２１ｂにおいて、再生中の楽曲ファイルの次に記憶されている楽曲ファイルを再生の対象とする（ステップＳＤ２）。
【００８５】
一方、再生モードが全ファイルランダム又は１アルバムランダムと判別された場合（ステップＳＤ１：ＹＥＳ）、制御部１１は、再生モードが１アルバムランダムであり、且つ早送りボタン５が連続的に押されたか否かを判別する（ステップＳＤ３）。再生モードが１アルバムランダムではない場合、又は早送りボタン５が連続的に押されたものではない場合（ステップＳＤ３：ＮＯ）、制御部１１は、ランダム再生順序記憶領域２１ｃに記憶されているランダム再生順序に基づいて、再生中の楽曲ファイルの次に再生されるべき楽曲ファイルを再生の対象として決定する（ステップＳＤ４）。
【００８６】
一方、再生モードが１アルバムランダムであり、且つ早送りボタン５が連続的に押されたと判別された場合（ステップＳＤ３：ＹＥＳ）、制御部１１は、アルバム管理番号を１加算する（ステップＳＤ５）。
【００８７】
そして、制御部１１は、ランダム再生時アルバム再生順序に基づいて、現在のアルバム管理番号と同じ数値のアルバム再生番号が対応付けられたアルバムを再生の対象として特定する（ステップＳＤ６）。尚、制御部１１は、再生の対象として特定されたアルバムが再生中のものと同じである場合は、アルバム加算番号を更に１加算して、他のアルバムを再生の対象とする。
【００８８】
制御部１１は、特定されたアルバムに属する楽曲ファイルの数を範囲とする乱数を生成し（ステップＳＤ７）、生成した乱数に基づいてランダム再生順序を決定する（ステップＳＤ８）。
そして、制御部１１は、再生番号１の楽曲ファイルを再生の対象として決定する（ステップＳＤ９）。
【００８９】
実施例２によれば、ユーザは、早送りボタン５を連続的に押すことで、アルバム指定回数に基づいて、再生の対象とするアルバムを変えることができる。再生の対象としては、アルバム指定回数が多いアルバム、即ち、再生の対象としてユーザが指定してきた回数が多いアルバムが優先される。聴きたい楽曲としてユーザの頭に浮かぶものは、再生の対象としてユーザが頻繁に指定してきたアルバムに収められているケースは多い。実施例２によれば、ユーザが所望とする楽曲ファイルが速やかに再生の対象となる可能性が高い。
【００９０】
尚、制御部１１は、ユーザが再生モードとして１アルバムランダムを指定しようとするときのみならず、ユーザが他の再生モード（例えば、１アルバムリピート）を指定しようとする際にもアルバム指定回数を１加算するようにしても良い。
【実施例３】
【００９１】
実施例３の構成及び効果等は、特に断りのない限り、実施例１と同じである。このため、実施例１と実施例３との相違点が主に説明され、説明の重複の回避のため、共通点の説明は極力省略される。
【００９２】
図１３のフローチャートＦＥは、実施例３の早送りボタン押し時処理を示すフローチャートである。実施例３の早送りボタン押し時処理は、実施例１と同様に、早送りボタン５がユーザによって押されたことを契機に制御部１１により実行される。
【００９３】
先ず、制御部１１は、再生モードが全ファイルランダム又は１アルバムランダムのいずれかの再生モードか否かを判別する（ステップＳＥ１）。再生モードが全ファイルランダムでなく、かつ、１アルバムランダムでない場合（ステップＳＥ１：ＮＯ）、制御部１１は、楽曲ファイル記憶領域２１ｂにおいて、再生中の楽曲ファイルの次に再生されるべき楽曲ファイルを再生の対象とする（ステップＳＥ２）。
【００９４】
一方、再生モードが全ファイルランダム又は１アルバムランダムと判別された場合（ステップＳＥ１：ＹＥＳ）、制御部１１は、再生モードが１アルバムランダムであり、且つ早送りボタン５が連続的に押されたか否かを判別する（ステップＳＥ３）。再生モードが１アルバムランダムではない場合、又は早送りボタン５が連続的に押されたものではない場合（ステップＳＥ３：ＮＯ）、制御部１１は、ランダム再生順序記憶領域２１ｃに記憶されているランダム再生順序に基づいて、再生中の楽曲ファイルの次に再生されるべき楽曲ファイルを再生の対象として決定する（ステップＳＥ４）。
【００９５】
一方、再生モードが１アルバムランダムであり、且つ早送りボタン５が連続的に押された場合（ステップＳＥ３：ＹＥＳ）、制御部１１は、対応するお気に入りフラグがオンとなっているアルバムがあるかどうかを判別する（ステップＳＥ５）。お気に入りフラグがオンとなっているアルバムがある場合（ステップＳＥ５：ＹＥＳ）、制御部１１は、対応するお気に入りフラグがオンとなっているアルバムを再生の対象として特定する（ステップＳＥ６）。
【００９６】
一方、お気に入りフラグがオンとなっているアルバムがない場合（ステップＳＥ５：ＮＯ）、制御部１１は、楽曲ファイル記憶領域２１ｂにおいて、再生中のアルバムの次に記憶されているアルバムを再生の対象として特定する（ステップＳＥ７）。
【００９７】
そして、制御部１１は、特定されたアルバムに属する楽曲ファイルの数を範囲とする乱数を生成し（ステップＳＥ８）、生成した乱数に基づいてランダム再生順序を決定する（ステップＳＥ９）。
【００９８】
そして、制御部１１は、再生番号１の楽曲ファイルを再生の対象として決定する（ステップＳＥ１０）。
【００９９】
実施例３によれば、ユーザは、早送りボタン５を連続的に押すことで、お気に入りフラグに基づいて、再生の対象とするアルバムを変更することができる。再生の対象としては、お気に入りフラグがオンとなっているアルバムが優先される。ユーザは、お気に入りフラグをオンにする操作を事前に行うことで、再生モードが１アルバムランダムであっても、所望とするアルバムを速やかに再生の対象とすることができる。
【０１００】
尚、ユーザの操作によっては、複数のアルバム各々のお気に入りフラグがオンとなるようにしても良い。この場合、制御部１１は、お気に入りフラグがオンとなっている複数のアルバムの中から、乱数に基づいて何れかを決定する。また、制御部１１は、お気に入りフラグがオンとなっている複数のアルバムの中を、楽曲ファイル記憶領域２１ｂに記憶されている順序に基づいて、順々に決定するようにしても良い。
【実施例４】
【０１０１】
実施例４の構成及び効果等は、特に断りのない限り、実施例１と同じである。このため、実施例１実施例４との相違点が主に説明され、説明の重複の回避のため、共通点の説明は極力省略される。
【０１０２】
図１４のフローチャートＦＦは、実施例４の１アルバムランダム再生順序特定処理を示すフローチャートである。実施例４の１アルバムランダム再生順序特定処理は、実施例１と同様に、１アルバムランダムメニュー画面５３で表示されている複数のアルバムのうち、何れがユーザによって指定されたことを契機に制御部１１により実行される。
【０１０３】
先ず、制御部１１は、ユーザによって指定されたアルバムを再生の対象のアルバムとして特定する（ステップＳＦ１）。そして、制御部１１は、特定されたアルバムに属する楽曲ファイルの数を範囲とする乱数を生成し（ステップＳＦ２）、生成した乱数に基づいて特定されたアルバムに属する全ての楽曲ファイルのうちの何れかを再生の対象として決定する（ステップＳＦ３）。一の楽曲ファイルが再生の対象として決定されると、制御部１１は、その楽曲ファイルの再生を開始する。
【０１０４】
図１５のフローチャートＦＧは、実施例４の早送りボタン押し時処理を示すフローチャートである。実施例４の早送りボタン押し時処理は、実施例１と同様に、早送りボタン５がユーザによって押されたことを契機に制御部１１により実行される。
【０１０５】
制御部１１は、再生モードが全ファイルランダム又は１アルバムランダムのいずれかの再生モードか否かを判別する（ステップＳＧ１）。再生モードが全ファイルランダムでなく、かつ、１アルバムランダムでない場合（ステップＳＧ１：ＮＯ）、制御部１１は、楽曲ファイル記憶領域２１ｂにおいて、再生中の楽曲ファイルの次に記憶されている楽曲ファイルを再生の対象とする（ステップＳＧ２）。
【０１０６】
一方、再生モードが全ファイルランダム又は１アルバムランダムと判別された場合（ステップＳＧ１：ＹＥＳ）、制御部１１は、再生モードが１アルバムランダムであり、且つ早送りボタン５が連続的に押されたか否かを判別する（ステップＳＧ３）。再生モードが１アルバムランダムではない場合、又は早送りボタン５が連続的に押されたものではない場合（ステップＳＧ３：ＮＯ）、制御部１１は、再生の対象としているアルバムに属する楽曲ファイル全ての数から１減算した数を範囲とする乱数を生成し（ステップＳＧ４）、そのアルバムに属する全ての楽曲ファイルのうちの何れかを再生の対象として決定する（ステップＳＧ５）。ここでは、再生中の楽曲ファイルは対象外とされる。
【０１０７】
尚、制御部１１は、一のファイルの再生が終了する際にも、再生の対象としているアルバムに属する全ての楽曲ファイルの数から１減算した数を範囲とする乱数を生成し、そのアルバムに属する全ての楽曲ファイルのうちの何れかを再生の対象とする楽曲ファイルを決定する。
【０１０８】
一方、再生モードが１アルバムランダムであり、且つ早送りボタン５が連続的に押された場合（ステップＳＧ３：ＹＥＳ）、制御部１１は、楽曲ファイル記憶領域２１ｂにおいて、再生中のアルバムを特定し（ステップＳＧ６）、特定した再生中のアルバムの次に記憶されているアルバムを再生の対象として特定する（ステップＳＧ７）。
【０１０９】
次いで、制御部１１は、特定されたアルバムに属する楽曲ファイルの数を範囲とする乱数を生成し（ステップＳＧ８）、生成した乱数に基づいて、そのアルバムに属する全ての楽曲ファイルのうちの何れかを再生の対象として決定する（ステップＳＧ９）。
【０１１０】
尚、実施例４において、制御部１１は、再生の対象であるアルバムに属する楽曲ファイル全ての再生が終了したか否かを判別することはしない。従って、仮に、再生の対象であるアルバムに属する楽曲ファイル全ての再生が終了したとしても、制御部１１は、それまでと同じ順序で各楽曲ファイルを再生の対象とすることはしない点で、実施例１とは異なる。
【０１１１】
実施例４によれば、ユーザは、早送りボタン５を押す操作の繰り返しという簡単な行為を行うだけで、再生の対象のアルバムを変えることができる。
【０１１２】
尚、実施例１〜４は、本発明の理解のために詳細に説明されたものであり、本発明は、前述した構成全てを備える必要は必ずしもない。また、ある実施例の一部を他の実施例の一部に置き換えることは可能であり、また、ある実施例の一部を他の実施例に付加することも可能である。
【０１１３】
また、図２は、本願発明を理解容易にするために、再生装置１の機能構成を主な処理内容に応じて分類して示した概略図であり、再生装置１の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。また、各構成要素の処理は、１つのプログラムで実現されてもよいし、複数のプログラムで実現されてもよい。
【０１１４】
また、フローチャートの処理単位は、再生装置１の処理を理解容易にするために、主な処理内容に応じて分割したものである。処理単位の分割の仕方や名称によって、本願発明が制限されることはない。再生装置１の処理は、処理内容に応じて、さらに多くの処理単位に分割することもできる。また、１つの処理単位がさらに多くの処理を含むように分割することもできる。また、フローチャートの処理順序も、例示した処理順序に限られるものではない。
【符号の説明】
【０１１５】
１  再生装置
５  早送りボタン（特定のボタン）
１１  制御部
１７  タッチパネル
【図１】
2018005963.tif 000003
【図２】
2018005963.tif 000004
【図３】
2018005963.tif 000005
【図４】
2018005963.tif 000006
【図５Ａ】
2018005963.tif 000007
【図５Ｂ】
2018005963.tif 000008
【図５Ｃ】
2018005963.tif 000009
【図５Ｄ】
2018005963.tif 000010
【図５Ｅ】
2018005963.tif 000011
【図６】
2018005963.tif 000012
【図７】
2018005963.tif 000013
【図８】
2018005963.tif 000014
【図９】
2018005963.tif 000015
【図１０】
2018005963.tif 000016
【図１１】
2018005963.tif 000017
【図１２】
2018005963.tif 000018
【図１３】
2018005963.tif 000019
【図１４】
2018005963.tif 000020
【図１５】
2018005963.tif 000021